(57)【要約】【課題】  チャンネルグループに属するチャンネルをすばやく正確に確認する。【解決手段】  割当型ストリップ部５１にＤＣＡグループを割り当てる。これにより、割当型ストリップ部５１のストリップ部５１−１〜５１−１２に１つずつＤＣＡグループが割り当てられる。表示器１４に表示されたストリップ表示部１０２には、ストリップ部５１−１〜５１−１２を延長したストリップ１０２−１〜１０２−１６が表示され、ストリップ１０２−１〜１０２−１６には、直下のストリップ部５１−１〜５１−１２に割り当てられているＤＣＡグループに属しているチャンネルのチャンネル番号がアイコンで表示される。これにより、チャンネルグループに属するチャンネルをすばやく正確に確認することができるようになる。【選択図】  図５
2010193038.tif 000002
【特許請求の範囲】
【請求項１】
複数の入力チャンネルにおける入力信号にミキシング処理を行って出力チャンネルからミキシング信号を出力するミキシング手段を備えるミキシング装置であって、
パネルと、
該パネルに複数ならべて配置され、パラメータを設定する操作子を有する割当型ストリップ部と、
前記パネルにおける前記割当型ストリップ部の近傍に配置された表示部と、
制御部とを備え、
前記制御部は、チャンネルグループを前記割当型ストリップ部へ割り当てる操作がされた際に、前記割当型ストリップ部のそれぞれに前記チャンネルグループを１グループずつ割り当てると共に、前記チャンネルグループに属するすべてのチャンネルの情報を、割り当てられた前記割当型ストリップ部に対応付けて前記表示部に表示し、前記割当型ストリップ部に設けられている前記操作子が操作された際に、割り当てられた当該チャンネルグループに属するチャンネルのパラメータが一括して操作されることを特徴とするミキシング装置。
【請求項２】
前記パネルには、チャンネルにおける各種パラメータの値を操作するための選択チャンネル操作部が設けられており、
前記選択チャンネル操作部には１つのチャンネルのみを割り当てることができるようにされて、前記割当型ストリップに対応付けられて前記表示部に表示されているチャンネルグループにおけるいずれか１つのチャンネルが選択された際に、選択されたチャンネルが前記選択チャンネル操作部へ割り当てられることを特徴とする請求項１記載のミキシング装置。
【発明の詳細な説明】
【技術分野】
【０００１】
この発明は、グループ毎に一括してパラメータを操作することができるチャンネルグループを備えるミキシング装置に関する。
【背景技術】
【０００２】
従来、多数のマイクロホンあるいは電気・電子楽器などから出力されるオーディオ信号のレベルや周波数特性を調整してミキシングし、パワーアンプに送り出すコンサートホール等で使用されるミキシング装置が知られている。ミキシング装置を操作するオペレータは、楽器の演奏音やボーカルの各オーディオ信号の音量や音色を、ミキシング装置における各種パネル操作子を操作することにより、演奏を最もふさわしく表現していると思われる状態に調整している。ミキシング装置は、入力信号系列として複数の入力チャンネルと該入力チャンネルから出力される信号をミキシングするバスと、ミキシングされた信号を出力する出力系列である出力チャンネルを備えている。各入力チャンネルはそれぞれ入力する信号の周波数特性やミキシングレベル等を制御して各ミキシングバスに出力し、各ミキシングバスはそれぞれ入力する信号をミキシングして対応する出力チャンネルに出力する。出力チャンネルからの出力は増幅されてスピーカ等から放音される。
【先行技術文献】
【特許文献】
【０００３】
【特許文献１】特開２００６−２６２０７９号公報
【発明の概要】
【発明が解決しようとする課題】
【０００４】
従来のミキシング装置におけるパネルには、入力チャンネルの主要なパラメータを制御することのできる入力チャンネルストリップが多数本設けられていると共に、ディスプレイや各種操作子が設けられている。入力チャンネルおよび出力チャンネルのチャンネル数は、例えば最大４８チャンネルまでとされる。入力チャンネルが割り当てられる入力チャンネルストリップは、例えば１６本設けられている。各入力チャンネルストリップでは、その入力チャンネルストリップにアサインされた入力チャンネルのボリューム値等のパラメータをチャンネル毎に設定することができる。また、複数の任意の入力チャンネルあるいは出力チャンネルを１グループとするチャンネルグループを作成することができ、チャンネルグループに属している複数のチャンネルのボリューム値等のパラメータを一括して操作することができる機能を有している。このチャンネルグループはＤＣＡ（Digital Controlled Amplifire）グループと呼ばれる。パネルにはアサイナブルとされた割当型ストリップ部が設けられており、割当型ストリップ部にＤＣＡグループを割り当てると、割当型ストリップ部における各ストリップに割り当てられたＤＣＡグループに属している複数のチャンネルのボリューム値のパラメータを、ストリップに向けられているフェーダにより一括して操作することができる。割当型ストリップ部はディスプレイの近傍に設けられており、例えば８本のストリップから構成されている。
【０００５】
割当型ストリップ部には、ＤＣＡグループ以外にも入力チャンネルを割り当てることができる。割当型ストリップ部に入力チャンネルを割り当てた場合は、ディスプレイに、細かいパラメータを設定する画面が各ストリップに対応して表示されるようになる。これにより、各ストリップに割り当てられた入力チャンネルの細かいパラメータを設定することができるようになる。
ところで、入力チャンネルからなるＤＣＡグループにおいて、属する入力チャンネルを表示する手段としては、入力チャンネルストリップに設けられている表示部を利用している。例えば、割当型ストリップ部にＤＣＡグループが割り当てられた際に、１つのＤＣＡグループが割り当てられたストリップを選択すると、当該ストリップに割り当てられているＤＣＡグループに属する入力チャンネルが割り当てられている入力チャンネルストリップの表示部に、当該ＤＣＡグループに属している旨の表示がされるようになる。この場合、入力チャンネルストリップの総数よりも設定可能な入力チャンネル数が多いことから、レイヤーを切り換えることにより入力チャンネルストリップ数ずつの入力チャンネルを順次入力チャンネルストリップに割り当てるようにして、全ての入力チャンネルについて確認しなければならない。このため、ＤＣＡグループに属する入力チャンネルを確認する作業が繁雑になると共にすばやく確認できないという問題点があった。また、各入力チャンネルストリップの表示部に設定可能なＤＣＡグループ数に対応する数の発光ダイオードを設けて、当該入力チャンネルストリップに割り当てられた入力チャンネルが属するＤＣＡグループに対応する発光ダイオードを発光させることが考えられる。しかし、各入力チャンネルストリップの占有面積が限られていることから、複数の発光ダイオードを設ける場合は小さな発光ダイオードしか設けることができず、各ＤＣＡグループに属する入力チャンネルを正確に確認することが困難になると云う問題点があった。
【０００６】
そこで、本発明は、チャンネルグループに属するチャンネルをすばやく正確に確認することのできるミキシング装置を提供することを目的としている。
【課題を解決するための手段】
【０００７】
上記目的を達成するために、本発明のミキシング装置は、チャンネルグループを割当型ストリップ部へ割り当てる操作がされた際に、割当型ストリップ部のそれぞれにチャンネルグループを１グループずつ割り当てると共に、チャンネルグループに属するすべてのチャンネルの情報を、割り当てられた割当型ストリップ部に対応付けて表示部に表示し、割当型ストリップ部に設けられている操作子が操作された際に、割り当てられた当該チャンネルグループに属するチャンネルのパラメータが一括して操作されることを最も主要な特徴としている。
【発明の効果】
【０００８】
本発明によれば、チャンネルグループを割当型ストリップ部へ割り当てる操作がされた際に、割当型ストリップ部のそれぞれにチャンネルグループを１グループずつ割り当てると共に、チャンネルグループに属するすべてのチャンネルの情報を、割り当てられた割当型ストリップ部に対応付けて表示部に表示することから、チャンネルグループに属するチャンネルをすばやく正確に確認することができるようになる。
【図面の簡単な説明】
【０００９】
【図１】本発明の実施例にかかるミキシング装置の構成を示すブロック図である。
【図２】本発明にかかるミキシング装置の信号処理部で行われるミキシング処理と、該ミキシング処理に接続された波形Ｉ／Ｏの入出力ポートの等価的な機能ブロック図である。
【図３】本発明にかかるミキシング装置のパネルの構成を示す図である。
【図４】本発明にかかるミキシング装置のパネルにおいて、割当型ストリップ部に入力／出力チャンネルが割り当てられた際の表示器の表示態様を示す図である。
【図５】本発明にかかるミキシング装置のパネルにおいて、割当型ストリップ部にＤＣＡグループが割り当てられた際の表示器の表示態様を示す図である。
【図６】本発明にかかるミキシング装置における割当型ストリップ部の構成を示す図である。
【図７】本発明にかかるミキシング装置の表示器における表示態様の他の例を示す図である。
【図８】本発明にかかるミキシング装置においてＤＣＡグループの各グループに属するチャンネルが記録されているテーブルを示す図である。
【図９】本発明にかかるミキシング装置において実行されるＤＣＡグループ割当処理のフローチャートである。
【図１０】本発明にかかるミキシング装置において実行されるチャンネル選択スイッチ処理のフローチャートである。
【発明を実施するための形態】
【００１０】
本発明の実施例にかかるミキシング装置の構成を示すブロック図を図１に示す。
図１に示す本発明の実施例に係るミキシング装置１において、ミキシング装置１の全体の動作を制御すると共に、パネルに設けられている各種操作子の操作に応じた制御信号を生成しているＣＰＵ（Central Processing Unit）１０と、ＣＰＵ１０が実行するミキシング制御プログラム等の動作ソフトウェアが格納されている書き換え可能な不揮発性のフラッシュメモリ１１と、ＣＰＵ１０のワークエリアや各種データ等が記憶されるＲＡＭ（Random Access Memory）１２を備えている。このように、フラッシュメモリ１１に動作ソフトウェアを格納することにより、フラッシュメモリ１１内の動作ソフトウェアを書き換えることで、動作ソフトウェアをバージョンアップすることができる。また、ディジタルレコーダ等のその他の機器は、入出力インタフェースであるその他Ｉ／Ｏ  １３を介してミキシング装置１に接続される。
【００１１】
表示器１４は、後述する割当型ストリップに割り当てられた各チャンネルのパラメータを設定する設定画面を表示し、割当型ストリップにＤＣＡグループが割り当てられた際には、ＤＣＡグループに属するチャンネルを表示するタッチパネルとされた液晶表示器とされている。ＤＣＡグループとは、複数の任意の入力チャンネルあるいは出力チャンネルを１グループとするチャンネルグループであり、ＤＣＡグループに属する複数のチャンネルのパラメータを一括して設定できるグループとされている。電動フェーダ１５は、入力チャンネルの信号あるいは出力チャンネルの信号のレベルを調整するフェーダであり、手動および電動によりレベル調整することができる。操作子１６は、パネルに設けられているスイッチやノブ等の各種操作子や、タッチパネルとされている表示器１４のタッチスイッチ等である。ＣＰＵ１０は、操作子１６を走査することによってスイッチやノブあるいはタッチパネルのイベントを検出して、イベントのあった操作子１６に対応するイベントを検出している。ミキシング装置１における全ての入力と全ての出力は波形Ｉ／Ｏ（波形データインタフェース）１７により行われる。この波形Ｉ／Ｏ１７は、アナログ信号が入力される複数のＡ入力ポートと、アナログ信号が出力される複数のＡ出力ポートと、外部からディジタル信号を入力すると共に外部へディジタル信号を出力する双方向とされている複数のＤ入力／Ｄ出力ポートとを備えている。
【００１２】
また、信号処理部（ＤＳＰ）１８は多数のＤＳＰ（Digital Signal Processor）を用いて構成されており、ＣＰＵ１０の制御の元でミキシング処理やエフェクト処理などを行っている。ＲＡＭ１２は、このミキシング処理やエフェクト処理を制御するための各種パラメータの現在値を記憶しており、ＣＰＵ１０は、操作子１６の操作に応じてＲＡＭ１２に記憶しているパラメータの現在値を変更するとともに、該パラメータの現在値に基づいて、信号処理部１８が行うミキシング処理やエフェクト処理の係数やアルゴリズムを制御する。この信号処理部１８においてミキシング処理されたミキシング信号をレコーダ１９に供給して記録することができると共に、レコーダ１９から再生したミキシング信号を信号処理部１８へ供給することができる。この場合、レコーダ１９においてはミキシング信号を圧縮して記録し、再生したミキシング信号を伸張して出力することができるようにされている。なお、ミキシング装置１の各部はコントロールバス、アドレスバスおよびデータバスからなる通信バス２０により相互にデータの授受を行っている。
【００１３】
次に、本発明にかかる図１に示す構成のミキシング装置１の信号処理部１８で行われるミキシング処理と、該ミキシング処理に接続された波形Ｉ／Ｏ１７の入出力ポートの等価的な機能ブロック図を図２に示す。
図２において、複数のアナログ入力ポート（Ａ入力）３０に入力された複数のアナログ信号は、波形Ｉ／Ｏ１８に内蔵されているＡＤ変換器によりディジタル信号に変換されて入力パッチ３２に入力される。また、複数のディジタル入力ポート（Ｄ入力）３１に入力された複数のディジタル信号は、そのまま入力パッチ３２に入力される。入力パッチ３２では、信号の入力元である複数の入力ポートの何れか１つの入力ポートを、例えば９６チャンネルとされる複数の入力ｃｈ部３３ａ，３３ｂ，・・・３３ｎの各入力チャンネル毎に選択的にパッチ（結線）することができ、各入力チャンネルには、入力パッチ３２でパッチされた入力ポートからの信号が供給される。
【００１４】
入力ｃｈ部３３ａ〜３３ｎにおける各入力チャンネルには、アッテネータ、イコライザ、コンプレッサやゲート、フェーダと、ミキシング（ＭＩＸ）バス３４ａ，３４ｂ，・・・３４ｋへの送り出しレベルを調整するセンド調整部が備えられており、これらの入力チャンネルにおいて、周波数バランスやレベル制御およびＭＩＸバス３４ａ〜３４ｋへの送出レベルが調整される。入力ｃｈ部３３ａ〜３３ｎから出力される９６チャンネルのディジタル信号は、それぞれＭＩＸ１〜１２６の１２８本のＭＩＸバス３４ａ〜３４ｋの１ないし複数に選択的に出力される。ＭＩＸバス３４ａ〜３４ｋにおいては、１２８本の各バスにおいて、９６入力チャンネルのうちの任意の入力チャンネルから選択的に入力された１ないし複数のディジタル信号がミキシングされて、合計９６チャンネルのミキシング出力が出力ｃｈ部３５ａ，３５ｂ，・・・３５ｍに出力される。これにより、９６通りにミキシングされた９６チャンネルのミキシング出力を得ることができる。
【００１５】
出力ｃｈ部３５ａ〜３５ｍにおける各出力チャンネルには、アッテネータ、イコライザ、コンプレッサ、フェーダが備えられており、これらの出力チャンネルにおいて、周波数バランスやレベル調整および出力パッチ３６へ送出されるレベルが制御される。出力パッチ３６では、信号の入力元である出力ｃｈ部３５ａ〜３５ｍからの９６チャンネルのミキシング信号の何れか１つの出力チャンネルを、アナログ出力ポート部（Ａ出力）３７やディジタル出力ポート部（Ｄ出力）３８の各出力ポート毎に選択的にパッチ（結線）することができ、各出力ポートには、出力パッチ３６でパッチされた出力チャンネルからの信号が供給される。
また、複数のアナログ出力ポートを備えるアナログ出力ポート部（Ａ出力）３７へ供給されたディジタル出力信号は、波形Ｉ／Ｏ１７に内蔵されているＤＡ変換器によりアナログ出力信号に変換されてアナログ出力ポートから出力される。そして、アナログ出力ポート部（Ａ出力）３７から出力されるアナログ出力信号は、増幅されてメインのスピーカから放音される。さらに、このアナログ出力信号は出演者が耳に装着するインイヤーモニタに供給されたり、その出演者の近傍に置かれたステージモニタスピーカで再生される。また、複数のディジタル出力ポートを備えるディジタル出力ポート部（Ｄ出力）３８から出力されるディジタルオーディオ信号は、レコーダや外部接続されたＤＡＴ等に供給されてディジタル録音することができるようにされている。
【００１６】
本発明にかかるミキシング装置１におけるパネルの構成を図３に示す。
図３に示すミキシング装置１のパネルには、右側の上部にタッチパネルとされている表示器１４が設けられ、表示器１４の下に選択チャンネル操作部５０が設けられ、表示器１４の下であると共に表示器１４の近傍に割当型ストリップ部５１が設けられている。割当型ストリップ部５１の右側には割当選択部５２が設けられている。また、パネルの左半分の上側にはチャンネルストリップ部（上段）５３が設けられ、その下側にチャンネルストリップ部（下段）５４が設けられている。チャンネルストリップ部（上段）５３とチャンネルストリップ部（下段）５４とは、例えばそれぞれ３２本ずつチャンネルストリップが設けられており、図示しないレイヤースイッチで選択された入力チャンネルが３２チャンネルずつ割り当てられる。チャンネルストリップ部（上段）５３とチャンネルストリップ部（下段）５４における各チャンネルストリップには、当該チャンネルストリップに割り当てられた入力チャンネルのボリュームを設定できるフェーダと、チャンネル番号やチャンネル名が表示される表示部と、その入力チャンネルを選択するＳＥＬスイッチおよびチャンネルをオン／オフするＯＮスイッチとが設けられている。
【００１７】
割当型ストリップ部５１は、横一列に並べて配置された主要なパラメータを制御することのできる１６本のストリップ部からなり、割当型ストリップ部５１には、入力チャンネルが１６チャンネルを割当単位として割り当てることができると共に、最大１６グループとされるＤＣＡグループを割り当てることができるようにされている。表示器１４はタッチパネルとされており、ストリップ表示部１０２等が表示される。図３において表示器１４に表示されているストリップ表示部１０２の表示態様は、割当型ストリップ部５１にＤＣＡグループが割り当てられた場合の表示態様とされており、割当型ストリップ部５１における縦に細長い各ストリップ部が延伸した態様となるようにストリップ表示部１０２に表示されている。ストリップ表示部１０２の各ストリップには、その直下のストリップ部に割り当てられているＤＣＡグループに属するチャンネル情報のアイコンが表示されている。その詳細については後述する。割当型ストリップ部５１における各ストリップ部には割り当てられた入力チャンネルあるいはＤＣＡグループのボリュームを設定できるフェーダと、チャンネル／グループ番号やチャンネル／グループ名が表示される表示部と、割り当てられたチャンネルあるいはＤＣＡグループを選択するＳＥＬスイッチおよびオン／オフするＯＮスイッチとパラメータを設定するノブとが設けられている。割当型ストリップ部５１への割り当ては割当選択部５２により行える。図示する例では、第１入力チャンネルないし第９６入力チャンネルを１６チャンネルずつに分割して割り当てるスイッチ（１−１６，１７−３２，３３−４８，４９−６４，６５−８０，８１−９６）と、最大１６グループとされたＤＣＡグループを割り当てるＤＣＡスイッチとが、割当選択部５２に設けられている。
【００１８】
ここで、割当選択部５２におけるスイッチ（１−１６）を操作して第１入力チャンネルないし第１６入力チャンネルを割当型ストリップ部５１に割り当てた際の表示態様とされたストリップ表示部１０２を含むパネルの左半分の構成を図４に示す。
図４に示す例では、第１入力チャンネル（ＣＨ１）ないし第１６入力チャンネル（ＣＨ１６）が、割当型ストリップ部５１における１６本の各ストリップ部５１−１，５１−２，・・・・５１−１６にそれぞれ割り当てられ、各ストリップ部５１−１〜５１−１６における表示部６４には、割り当てられた入力チャンネルの番号が表示される。１６本のストリップ部５１−１〜５１−１６の構成は同様とされており、ストリップ部５１−１の構成を例に上げて図６を参照しながら説明する。図６には代表とするストリップ部５１−１の構成が示されており、ストリップ部５１−１にはパラメータの値を設定する調整ノブ６１と、ストリップ部５１−１に割り当てられた入力チャンネルをオン／オフするＯＮスイッチ６２と、割り当てられた入力チャンネルを選択するＳＥＬスイッチと、チャンネル番号やチャンネル名が表示される表示部６４と、割り当てられた入力チャンネルのボリュームを設定できるフェーダ摘み６５ａを備えるフェーダ６５とが設けられている。調整ノブ６１で設定するパラメータはストリップ表示部１０２において選択することができる。
【００１９】
図示するように縦に細長く形成されている１６本のストリップ部５１−１〜５１−１６を延伸するように、ストリップ表示部１０２に１６本の対応するストリップ１０２−１，１０２−２，・・・１０２−１６が表示される。各ストリップ１０２−１〜１０２−１６の１本ずつに、対応する各ストリップ部５１−１〜５１−１６の１本ずつに割り当てられた１つの入力チャンネルが割り当てられて、当該入力チャンネルの情報を表示あるいは当該入力チャンネルのパラメータを制御できる状態とされる。図示する場合は、ストリップ１０２−１〜１０２−１６における各ストリップにはイコライザのパラメータを設定するＥＱ部１０３を構成するノブのアイコンが複数表示されている。このＥＱ部１０３は、選択チャンネル操作部５０に設けられているＥＱノブ５０ａと同様の機能のノブ構成とされており、ＥＱノブ５０ａにはHIGHバンドとHIGH MIDバンドとLOW MIDバンドとLOWバンドの４つの周波数帯域に分割した各バンドの選択度（Ｑ）とゲイン（Ｇ）とをそれぞれ設定するノブが合計８個設けられており、ストリップ１０２−１〜１０２−１６には対応するノブのアイコンが表示されている。この場合、タッチパネルとされているストリップ１０２−１〜１０２−１６において、設定したいパラメータのノブアイコンにタッチするとそのパラメータが選択されて、当該ストリップの直下に設けられているストリップ部５１−１〜５１−１６における調整ノブ６１により当該選択されたパラメータを操作できるようになる。
【００２０】
例えば、図４においてストリップ１０２−１においてはHIGHバンドのＱのパラメータを設定するノブが選択されており、ストリップ部５１−１における調整ノブ６１によりHIGHバンドの選択度Ｑのパラメータを操作することができる。同様に、ストリップ部５１−２における調整ノブ６１によりHIGH MIDバンドのゲインＧのパラメータを操作することができ、ストリップ部５１−４における調整ノブ６１によりLOW MIDバンドの選択度Ｑのパラメータを操作することができる。また、ストリップ部５１−１〜５１−１６におけるＳＥＬスイッチ６３のいずれかを操作すると、操作されたＳＥＬスイッチ６３が設けられているストリップ部５１−１〜５１−１６に割り当てられている入力チャンネルが選択チャンネル操作部５０に割り当てられて、その入力チャンネルのイコライザのパラメータを８個のＥＱノブ５０ａにより設定できると共に、４個のエフェクトノブ５０ｂによりコンプレッサやディレイのパラメータを設定できるようになる。さらに、ストリップ部５１−１〜５１−１６におけるＯＮスイッチ６２のいずれかを操作してオフすると、操作されたＯＮスイッチ６２が設けられているストリップ部５１−１〜５１−１６に割り当てられている入力チャンネルからMIX バス３４ａ〜３４ｋには一切信号が送られなくなる。さらにまた、フェーダ６５におけるフェーダ摘み６５ａを上下に操作すると、操作に応じて当該フェーダ６５が設けられているストリップ部５１−１〜５１−１６に割り当てられている入力チャンネルのボリューム値が操作される。
【００２１】
次に、割当選択部５２におけるＤＣＡスイッチを操作してＤＣＡグループの第１ＤＣＡグループないし第１６ＤＣＡグループを割当型ストリップ部５１に割り当てた際の表示態様とされたストリップ表示部１０２を含むパネルの左半分の構成を図５に示す。
ＤＣＡグループを割り当てた場合には、図５に示すようにストリップ表示部１０２の表示態様がＤＣＡグループに適合するように変更される。すなわち、第１ＤＣＡグループ（ＤＣＡ１）ないし第１６ＤＣＡグループ（ＤＣＡ１６）の１グループずつが、割当型ストリップ部５１の各ストリップ部５１−１〜５１−１６の１本ずつにそれぞれ割り当てられて、各ストリップ部５１−１〜５１−１６には割り当てられたＤＣＡグループの情報を表示あるいは割り当てられたＤＣＡグループのパラメータを制御できる状態とされる。図示する場合は、各ストリップ部５１−１〜５１−１６における表示部６４に割り当てられたＤＣＡグループの番号が表示される。縦に細長く形成されている１６本のストリップ部５１−１〜５１−１６を延伸するように、ストリップ表示部１０２に１６本の対応するストリップ１０２−１，１０２−２，・・・１０２−１６が表示される。ストリップ１０２−１〜１０２−１６における各ストリップには、当該ストリップの直下に位置するストリップ部５１−１〜５１−１６に割り当てられているＤＣＡグループに属するチャンネルのチャンネル情報１０４が表示されるようになる。このチャンネル情報１０４は、ＤＣＡグループに属するチャンネルのチャンネル番号のアイコンで構成される。
【００２２】
任意の複数の入力チャンネルあるいは出力チャンネルからＤＣＡグループを作成することができ、作成されたＤＣＡグループは登録される。登録されると、ＤＣＡグループを特定するＤＣＡ番号と、当該ＤＣＡグループに属するチャンネルを特定するチャンネル番号からなるテーブルがＲＡＭ１２上に記録される。入力チャンネルからなるテーブルの一例が図８に示されており、ＤＣＡグループのグループ番号「１」に属する入力チャンネルのチャンネル番号は「１，２，３，４，５，６」とされ、ＤＣＡグループのグループ番号「２」に属する入力チャンネルのチャンネル番号は「７，８，９，１０，１１，１２」とされ、ＤＣＡグループのグループ番号「３」に属する入力チャンネルのチャンネル番号は「１３，１５，１７，１９，２１，２３」とされ、ＤＣＡグループのグループ番号「４」は設定されておらず、ＤＣＡグループのグループ番号「５」に属するチャンネルのチャンネル番号は「３１，３２」とされ、ＤＣＡグループのグループ番号「１６」に属するチャンネルのチャンネル番号は「４１，４７，５３，５９，６５，７１」とされている。このように、ＤＣＡグループには入力チャンネルを重複して属させることができないようにされている。また、ＤＣＡグループが出力チャンネルからなる場合においても、出力チャンネルを重複してＤＣＡグループに属させることはできない。
【００２３】
例えば、ストリップ部５１−１にはＤＣＡグループのＤＣＡ１（グループ番号「１」）が割り当てられており、これに対応するストリップ１０２−１にはＤＣＡ１に属する「ＣＨ１」「ＣＨ２」「ＣＨ３」「ＣＨ４」「ＣＨ５」「ＣＨ６」のチャンネル番号のアイコンが表示される。また、ストリップ部５１−２にはＤＣＡグループのＤＣＡ２（グループ番号「２」）が割り当てられており、これに対応するストリップ１０２−２にはＤＣＡ２に属する「ＣＨ７」「ＣＨ８」「ＣＨ９」「ＣＨ１０」「ＣＨ１１」「ＣＨ１２」のチャンネル番号のアイコンが表示される。ストリップ部５１−３〜５１−１６に対応するストリップ１０２−３〜１０２−１６においても同様に割り当てられたＤＣＡグループに属する全チャンネル番号のアイコンが表示される。なお、ＤＣＡ４のＤＣＡグループは設定されていないため、対応するストリップにはチャンネル番号のアイコンは表示されない。
【００２４】
このように、割当型ストリップ部５１にＤＣＡグループが割り当てられた場合は、割当型ストリップ部５１における各ストリップ部５１−１〜５１−１６に１つずつＤＣＡグループが割り当てられ、各ストリップ部５１−１〜５１−１６を縦に延伸したストリップ１０２−１〜１０２−１６がストリップ表示部１０２に表示され、それぞれのストリップ１０２−１〜１０２−１６に対応するストリップ部５１−１〜５１−１６に割り当てられているＤＣＡグループに属する全チャンネル番号のアイコンが表示される。これにより、割当型ストリップ部５１にＤＣＡグループが割り当てられた際に、ストリップ１０２−１〜１０２−１６を見ることにより、各ＤＣＡグループに属しているチャンネルをすばやく正確に確認することができるようになる。
【００２５】
例えば、図５に示す例ではＤＣＡ２が割り当てられているストリップ１０２−２におけるチャンネル番号「ＣＨ１０」のアイコンがタッチされて選択されており、第１０入力チャンネルが選択チャンネル操作部５０に割り当てられて、第１０入力チャンネルのパラメータが上記したように選択チャンネル操作部５０により設定可能とされる。また、ストリップ部５１−１〜５１−１６におけるＳＥＬスイッチ６３のいずれかを操作すると、操作されたＳＥＬスイッチ６３が設けられているストリップ部５１−１〜５１−１６に割り当てられているＤＣＡグループに属する入力チャンネルが、チャンネルストリップ部５３，５４に表示されるようになる。この表示は、ＤＣＡグループに属する入力チャンネルが割り当てられているチャンネルストリップ部５３，５４の全ての各チャンネルストリップにおけるＳＥＬスイッチが点灯することにより表示される。さらに、ストリップ部５１−１〜５１−１６におけるＯＮスイッチ６２のいずれかを操作してオフすると、操作されたＯＮスイッチ６２が設けられているストリップ部５１−１〜５１−１６に割り当てられているＤＣＡグループに属している全ての入力チャンネルからMIX バス３４ａ〜３４ｋには一切信号が送られなくなる。
【００２６】
ストリップ部５１−１〜５１−１６に１グループずつ割り当てられたＤＣＡグループに属するチャンネルを表示する図５に示す表示態様においては、属するチャンネルのチャンネル情報１０４とされるチャンネル番号のアイコンを対応するストリップ１０２−１〜１０２−１６に表示することにより行っていた。この表示態様に替えて、図７に示す表示態様としてもよい。図７に示す表示態様では、ＤＣＡグループに属させることが可能な入力チャンネルの全てがストリップ１０２−１〜１０２−１６に表示され、割り当てられたＤＣＡグループに属する入力チャンネルの表示色を変えて表示することにより、割り当てられたＤＣＡグループに属するチャンネルをすばやく正確に確認することができるようにしている。なお、図７にはストリップ１０２−１〜１０２−１６の内のストリップ１０２−２を代表として示しており、ストリップ部５１−２に割り当てられているＤＣＡグループのＤＣＡ２（グループ番号「２」）に属する「ＣＨ７」「ＣＨ８」「ＣＨ９」「ＣＨ１０」「ＣＨ１１」「ＣＨ１２」のチャンネル番号の表示色が異なるように表示されている。なお、ＤＣＡグループに属させることが可能なチャンネル数が多くて、ストリップ１０２−１〜１０２−１６の長さが長くなりすぎる場合は、スクロールしてチャンネルを表示するようにしてもよい。
【００２７】
次に、ミキシング装置１の制御部とされるＣＰＵ１０が実行するＤＣＡグループ割当処理のフローチャートを図９に示す。
割当選択部５２におけるＤＣＡスイッチが操作されると、操作されたことがＣＰＵ１０において検出されて、図９に示すＤＣＡグループ割当処理が起動される。なお、割当選択部５２に設けられている７つのスイッチは操作子１６の一種とされている。ＤＣＡグループ割当処理が起動されるとステップＳ１０にて、割当型ストリップ部５１におけるそれぞれのストリップ部５１−１〜５１−１６にＤＣＡグループが順に割り当てられる。この場合、１６本のストリップ部５１−１〜５１−１６とされていた場合はＤＣＡ１〜ＤＣＡ１６のＤＣＡグループが順番にストリップ部５１−１〜５１−１６に１グループずつ割り当てられる。次いで、ステップＳ１１にてストリップ表示部１０２におけるストリップ１０２−１〜１０２−１６に、直下とされて対応付けられているストリップ部５１−１〜５１−１６に割り当てられているＤＣＡグループに属する全チャンネルのチャンネル番号とされるチャンネル情報１０４を表示して、ＤＣＡグループ割当処理は終了する。なお、チャンネル情報としてはチャンネル番号に限らずチャンネル名等のチャンネルを特定できる情報であればどのような情報でもよい。
【００２８】
次に、ミキシング装置１の制御部とされるＣＰＵ１０が実行するチャンネル選択スイッチ処理のフローチャートを図１０に示す。
ストリップ表示部１０２におけるストリップ１０２−１〜１０２−１６の何れかに表示されているチャンネル情報１０４におけるチャンネル番号のアイコンのいずれかにタッチすると、タッチされたことがＣＰＵ１０にて検出されて図１０に示すチャンネル選択スイッチ処理が起動される。なお、タッチパネルとされている表示器１４のタッチスイッチは操作子１６の一種とされている。チャンネル選択スイッチ処理が起動されるとステップＳ２０にて、操作されたアイコンに対応するチャンネルが当該アイコンが特定されることにより検出される。次いで、検出されたチャンネルが選択チャンネル操作部５０にステップＳ２１にて割り当てられて、チャンネル選択スイッチ処理は終了する。これにより、選択チャンネル操作部５０に設けられている８個のＥＱノブ５０ａにより当該チャンネルのイコライザのパラメータを設定できると共に、４個のエフェクトノブ５０ｂにより当該チャンネルのコンプレッサやディレイのパラメータを設定できるようになる。
【産業上の利用可能性】
【００２９】
以上説明した本発明のミキシング装置において、チャンネルストリップ部には、入力チャンネルを割り当てるようにしたが、出力チャンネルも同様にして３２チャンネルずつ割り当てることができる。また、割当型ストリップ部には入力チャンネルおよびＤＣＡグループを割り当てられるようにしたが、これに加えて出力チャンネルも１６チャンネルを割当単位として割り当てることができるようにしても良い。出力チャンネルを、チャンネルストリップ部あるいは割当型ストリップ部に割り当てた場合は、入力チャンネルに行えた操作と同様の操作を出力チャンネルに対して行えるようになる。
また、チャンネルストリップ部は３２本ずつのチャンネルストリップを２段に設けていたが、任意の本数のチャンネルストリップを２段に設けるようにしても良い。また、割当型ストリップ部に設けられているストリップ部の本数も任意の本数とすることができる。この場合、ＤＣＡグループの設定可能な最大グループ数は、設けられたストリップ部の本数と同じとされる。
【符号の説明】
【００３０】
１  ミキシング装置、１０  ＣＰＵ、１１  フラッシュメモリ、１２  ＲＡＭ、１３  その他Ｉ／Ｏ、１４  表示器、１５  電動フェーダ、１６  操作子、１７  波形Ｉ／Ｏ、１８  信号処理部、１９  レコーダ、２０  通信バス、３０  アナログ入力ポート、３１  ディジタル入力ポート、３２  入力パッチ、３３ａ〜３３ｎ  入力ｃｈ部、３４ａ〜３４ｋ  ＭＩＸバス、３５ａ〜３５ｍ  出力ｃｈ部、３６  出力パッチ、３７  アナログ出力ポート部、３８  ディジタル出力ポート部、５０  選択チャンネル操作部、５０ａ  ＥＱノブ、５０ｂ  エフェクトノブ、５１  割当型ストリップ部、５１−１〜５１−１６  ストリップ部、５２  割当選択部、５３  チャンネルストリップ部（上段）、５４  チャンネルストリップ部（下段）、６１  調整ノブ、６２  ＯＮスイッチ、６３  ＳＥＬスイッチ、６４  表示部、６５  フェーダ、６５ａ  フェーダ摘み、１０２  ストリップ表示部、１０２−１〜１０２−１６  ストリップ、１０３  ＥＱ部、１０４  チャンネル情報
【図１】
2010193038.tif 000003
【図２】
2010193038.tif 000004
【図３】
2010193038.tif 000005
【図４】
2010193038.tif 000006
【図５】
2010193038.tif 000007
【図６】
2010193038.tif 000008
【図７】
2010193038.tif 000009
【図８】
2010193038.tif 000010
【図９】
2010193038.tif 000011
【図１０】
2010193038.tif 000012